(57)【要約】【課題】文字種別をいかなるときも指の移動距離を少なくかつ簡単に切り替えることができる携帯端末および文字入力方法を提供する。【解決手段】携帯電話端末３０は、キーを表示する表示部３３と、キーへの接触およびキーの接触位置を検出するタッチパネル部３５と、キーが接触された状態でキーの接触位置の変化が検出された場合、表示部３３に表示される文字の種別を変更する文字状態管理部３２とを有する。【選択図】図１
2009169451.tif 000002
【特許請求の範囲】
【請求項１】
接触及び接触位置を検出するタッチパネル部と，
文字を表示する表示部と，
前記表示部に表示される文字の種別を制御する文字状態管理部とを有し，
前記文字状態管理部は，前記タッチパネル部が接触された状態で接触位置の変化が検出された場合に前記文字種別を変更することを特徴とする，
携帯端末。
【請求項２】
請求項１に記載の携帯端末であって、
前記タッチパネル部にはキーが表示される，
携帯端末。
【請求項３】
請求項１または２に記載の携帯端末であって、更に、
同一のキーの接触回数の情報および前記表示部に表示される文字の種別を変更するための文字種別変更情報を管理する情報記憶部を有し、
前記文字状態管理部は、情報記憶部に記憶された情報に基づいて、前記表示部に表示される文字を指定する
携帯端末。
【請求項４】
請求項３に記載の携帯端末であって、
前記文字種別変更情報は、前記表示部に表示された文字の種別および前記キーの接触位置の変化の方向に基づいて、前記表示部に表示させる文字の種別を変更するための情報を含む
携帯端末。
【請求項５】
請求項４に記載の携帯端末であって，
前記文字種別変更情報は、前記キーの接触位置の変化後に前記変化の方向とは該反対方向に前記接触位置が変化した場合に，前記文字種別を前記変化前の文字種別に変更するための情報を含む
携帯端末。
【請求項６】
携帯端末において、
接触及び接触位置を検出する検出ステップと、
文字を表示する表示部に表示される文字の種別を制御する文字状態管理ステップとを有し，
前記検出ステップにおいて、接触された状態で接触位置の変化が検出された場合に、前記文字状態管理ステップにおいて、前記文字種別を変更することを特徴とする、
携帯端末。
【発明の詳細な説明】
【技術分野】
【０００１】
本発明は、携帯端末および文字入力方法に関し、特に、タッチ時に指をずらすことで、文字種別が切り替えられる入力方法に関する。
【背景技術】
【０００２】
携帯電話等の携帯端末で文字を打つときに、ひらがな、英字などの文字の種類を意識して打つ必要がある。このとき、常に文字種別を意識するのは煩わしい。またひらがなにおいて濁点や小文字を入力する際も、その機能が割り当てられた特定のキーを接触する必要がある。
【０００３】
そこで、従来の携帯用パソコン（モバイルパソコン）や携帯情報端末（ＰＤＡ）において、画面上にキーを表示して文字等をタッチ式で入力する際に、画面に表示するキー数を少なくできてかつ操作性も高い画面表示式キー入力装置が知られている。
【０００４】
この入力装置は、画面に表示されるキーをペン等でタッチして入力するものであり、タッチの仕方の違いを判別する判定手段と、判別されたタッチの仕方で各キーに設定された文字や記号から選択して出力する文字選択手段とを備える。
【０００５】
判定手段を、ペンがキーの領域内で最初にタッチした点を交点ＳとしてＸ−Ｙ軸を設定し、ペンが交点Ｓをタッチしたまま所定長さ以上移動しない第１タッチ操作と、交点Ｓから左下領域、右下領域、右上領域に向かってそれぞれ所定長さ以上移動する第２、３、４タッチ操作とを判別可能に構成する（例えば、特許文献１参照）。
【０００６】
また、携帯情報端末におけるタッチパネルに表示した仮想キーボードを用いた文字入力装置、方法およびプログラムに関して、小型の仮想キーボードによる文字入力を容易にし、濁音文字等の補助候補文字を１回のクリックで入力可能とする方法が知られている。
【０００７】
この方法では、例えば、仮想キーボードのキー「ひ」の位置をタップすると、タッチパネルに「ひ」を示す拡大キーが表示され、その周囲に仮想キーボードにおいてキー「ひ」から一定の範囲内のキー「ち」「な」「に」「ぬ」「は」「ひ」「ふ」等が隣接拡大キーとして表示される。また、「ひ」の補助候補文字「ぴ」「び」「びゅ」「びょ」の補助拡大キーが拡大キーの周縁部に表示される。
【０００８】
拡大キーの周縁部を除く中央部をタップしていれば文字「ひ」が仮確定文字とされ、拡大キーの周縁部にタップを移動すれば、移動後のタップが位置する補助拡大キーの文字が仮確定文字とされる。タップを解除すれば、そのときの仮確定文字が確定文字として入力される（例えば、特許文献２参照）。
【０００９】
【特許文献１】特開２００１−３２５０６４号公報
【特許文献２】特開２００５−１８２４８７号公報
【発明の開示】
【発明が解決しようとする課題】
【００１０】
特許文献１に記載された方法は、文字入力の仕方として、一つのキーにタッチの仕方によって複数の文字を割り当てている。しかしながら、この方式では、新たに文字入力の仕方を覚える必要がある。また文字種別の切替は別のキーに割り当てられている。
【００１１】
また、特許文献２に記載された方法は、文字のタップ時にタップとタップ解除位置をずらすことで入力する文字を変更しているが、あくまでも仮想キーボードのキー中でのずらしに限定しているため、文字種別の変更まで踏み込んでいない。また適用例が仮想フルキーボードでの適用であり、携帯電話等の携帯端末のテンキーに応用することは難しい。
【００１２】
さらに、一般的な携帯電話等の携帯端末は、濁点のある文字を入力するときは、文字を押した後、濁点をつける機能を割り当てたキーを押す必要がある。また、ひらがなや英文字など異なる文字種別を混在させて入力するときは、モードを変更するためのキーを押す必要がある。
【００１３】
本発明は、上記従来の事情に鑑みてなされたものであって、文字種別をいかなるときも指の移動距離を少なくかつ簡単に切り替えることができる携帯端末および文字入力方法を提供することを目的としている。
【課題を解決するための手段】
【００１４】
上記目的を達成するために、本発明の第１の携帯装置は、接触及び接触位置を検出するタッチパネル部と，文字を表示する表示部と，前記表示部に表示される文字の種別を制御する文字状態管理部とを有し，前記文字状態管理部は，前記タッチパネル部が接触された状態で接触位置の変化が検出された場合に前記文字種別を変更することを特徴とする構成としている。
【００１５】
上記構成によれば、入力キーを例えば指で押しながらずらして文字の種別を切り替えるので、濁点、半濁点、小文字等の文字入力時に別のボタンに割り当てたボタンを使う必要がなくなり、現に操作しているボタンを扱うことで入力が可能となる。また、文字種別変更におけるキー入力時に指を大きく動かす必要がないので、より速いスピードで文字入力を行うことが可能である。
【００１６】
また、本発明の第２の携帯端末は、前記タッチパネル部にはキーが表示される構成としている。
【００１７】
上記構成によれば、タッチパネル部に入力キーを表示し、入力キーを例えば指で押しながらずらして文字の種別を切り替えるので、濁点、半濁点、小文字等の文字入力時に別のボタンに割り当てたボタンを使う必要がなくなり、現に操作しているボタンを扱うことで入力が可能となる。また、文字種別変更におけるキー入力時に指を大きく動かす必要がないので、より速いスピードで文字入力を行うことが可能である。
【００１８】
また、本発明の第３の携帯端末は、同一のキーの接触回数の情報および前記表示部に表示される文字の種別を変更するための文字種別変更情報を管理する情報記憶部を有し、前記文字状態管理部が、情報記憶部に記憶された情報に基づいて、前記表示部に表示される文字を指定する構成としている。
【００１９】
上記構成によれば、タッチパネルへの操作のみで、容易に文字および文字種別を指定可能である。また、いつでも文字種別を変更できるので、文字種別を意識して入力する必要がなく、表示された文字を見て、指をずらすことで適切な文字種別を入力することができる。
【００２０】
また、本発明の第４の携帯端末は、前記文字種別変更情報が、前記表示部に表示された文字の種別および前記キーの接触位置の変化の方向に基づいて、前記表示部に表示させる文字の種別を変更するための情報を含む構成としている。
【００２１】
上記構成によれば、タッチパネルへの操作のみで、容易に文字および文字種別を指定可能である。また、例えば、文字種別モードを押す前に、キーを押してから種別を選ぶということが簡単に行うことができる。例えば、「ｃ」という文字を出したいときに、数字２のキーを３回押したが、モードがひらがな出力を行うモードで「く」をだしてしまった後でも、同じキーをもう一回左にずらしてタッチすることで、「ｃ」を出すことができる。
【００２２】
また、本発明の第５の携帯端末は、前記文字種別変更情報が、前記キーの接触位置の変化後に前記変化の方向とは該反対方向に前記接触位置が変化した場合に，前記文字種別を前記変化前の文字種別に変更するための情報を含む構成としている。
【００２３】
上記構成によれば、文字種別変更情報に基づいて、文字種別を元に戻す場合に指を大きく動かす必要がないので、より速いスピードで文字入力を行うことが可能である。
【００２４】
また、本発明の第１の文字入力方法は、携帯端末において、接触及び接触位置を検出する検出ステップと、文字を表示する表示部に表示される文字の種別を制御する文字状態管理ステップとを有し，前記検出ステップにおいて、接触された状態で接触位置の変化が検出された場合に、前記文字状態管理ステップにおいて、前記文字種別を変更することを特徴とする方法としている。
【００２５】
上記方法によれば、入力キーを例えば指で押しながらずらして文字の種別を切り替えるので、濁点、半濁点、小文字等の文字入力時に別のボタンに割り当てたボタンを使う必要がなくなり、現に操作しているボタンを扱うことで入力が可能となる。また、文字種別変更におけるキー入力時に指を大きく動かす必要がないので、より速いスピードで文字入力を行うことが可能である。
【発明の効果】
【００２６】
以上説明したように、本発明にかかる携帯端末および文字入力方法によれば、濁点、半濁点、小文字の文字入力時に別のボタンに割り当てたボタンを使う必要がなくなり、常にそのボタンを扱うことで入力が可能となる。すなわち、文字種別変更におけるキー入力時に指を大きく動かす必要がないので、より速いスピードで文字入力を行うことが可能である。
【００２７】
また、文字種別モードを押す前に、キーを押してから種別を選ぶということが簡単に行うことができる。例えば、「ｃ」という文字を出したいときに、数字２のキーを３回押したが、モードがひらがな出力を行うモードで「く」をだしてしまった後でも、同じキーをもう一回左にずらしてタッチすることで、「ｃ」を出すことができる。
【００２８】
さらに、文字の入力方法の基本は、今までの携帯電話等の携帯端末の文字入力方式を踏襲しており、今まで慣れた文字入力方式をそのまま使える。また文字種別がいつでも変更できるので、文字種別を意識して入力する必要がなく、表示された文字を見て、指をずらすことで適切な文字種別を入力することができる。
【発明を実施するための最良の形態】
【００２９】
本発明の実施形態における携帯端末および文字入力方法について、図面を用いて以下に説明する。
【００３０】
本発明の実施形態における携帯端末の一例である携帯電話端末では、タッチパネルを用いて入力を行うことを前提にしており、（１）文字種別モードの切替は、入力に用いるキーを押すときに指を触れながらずらすことで行う。文字種別は具体的には、ひらがな（濁点、半濁点、小文字）、英数字（大文字、小文字、半角、全角）、数字（半角、全角）を含む。
【００３１】
また、（２）キーの接触回数も記憶しておき、キー接触後に、同一のキーをずらすことで、指定する文字種別での適切な文字を出力できる。例えば、ふ（図４において、かなモードで６のキー３回接触）のときに、英文字モードにするとそのままo（英文字モードで6のキー３回接触）になる。
【００３２】
さらに、（３）文字種別モードの切替は、その文字が確定されるまでいつでも、何回でもできる。指のずらしを逆にすると、文字種別がまた元に戻るようにする。
【００３３】
図１は本発明の実施形態にかかる携帯電話端末の構成の一例を示すブロック図である。図１に示す携帯電話端末３０は、文字状態テーブル３１、文字状態管理部３２、表示部３３、タッチ状態管理部３４、タッチパネル部３５を有して構成される。
【００３４】
タッチパネル部３５は、タッチパネルの検知状態と検知座標の情報をタッチ状態管理部３４に送信する。したがって、キーへの接触およびキーの接触位置を検出するための機能を有する。また、タッチパネル部３５は、入力操作を行うためのキーを表示することも可能である。
【００３５】
タッチ状態管理部３４は、タッチパネルの検知状態から、適切なイベントを文字状態管理部３２に送信する。
【００３６】
文字状態管理部３２は、文字の接触状態を検知し、タッチ状態管理部からのイベントに基づいて、表示される文字を管理する。例えば、文字状態管理部３２は、キーが接触された状態でキーの接触位置の変化が検出された場合、つまり、後述するジェスチャーイベントが検出された場合、表示部３３に表示される文字の種別を変更するための機能を有する。また、例えば、文字状態テーブル３１に記憶された情報に基づいて、表示部３３に表示される文字を指定するための機能を有する。
【００３７】
文字状態テーブル３１は、同一キーの接触回数の管理と文字種別の遷移表を管理するためのデータベースである。したがって、文字状態テーブル３１は、同一のキーの接触回数の情報および表示部３３に表示される文字の種別を変更するための文字種別変更情報を管理するための情報記憶部としての機能を有する。また、例えば、文字種別の遷移表の情報は、一例として、文字種別およびキーの接触位置の変化の方向に基づいて、表示部３３に表示させる文字の種別を変更するための情報や、キーの接触位置の変化後にこの変化の方向とは反対方向に接触位置が変化した場合に、文字種別を変化前の文字種別に変更するための情報を有する。
【００３８】
表示部３３は、文字状態管理部で指定される文字を表示させるブロックである。接触した指をずらすことにより文字種別が変更された場合、同じところに上書きして文字種別を変更した文字を表示させる。
【００３９】
次に、タッチパネル部３５の動作の一例をフローチャートで示す。図２は、タッチパネル部３５の動作の一例を示すフローチャートである。
【００４０】
タッチパネル部３５は、常にタッチパネルの検知状態の変化を待っており、一定時間おきに以降の処理を繰り返す（ステップＳ１１）。タッチパネル部３５は、検知状態の変化を検知する（ステップＳ１２）。検知していない状態（前回検知なし）から検知している状態（今回検知あり）に遷移したときは、タッチ開始イベントをタッチ状態管理部３４に通知し（ステップＳ１６）、後述するステップＳ１４、ステップＳ１５の処理を行う。また、タッチパネル部３５は、検知している状態（前回検知あり）から検知していない状態（今回検知なし）に遷移したときは、タッチ完了イベントをタッチ状態管理部３４に通知する（ステップＳ１３）。また、タッチパネル部３５は、検知している状態（前回検知あり）から変化がない（今回検知あり）ときは、指などでタッチしている座標の情報を取得し（ステップＳ１４）、タッチ状態管理部３４に通知する（ステップＳ１５）。
【００４１】
次に、タッチ状態管理部３４の動作の一例をフローチャートで示す。図３は、タッチ状態管理部３４の動作の一例を示すフローチャートである。
【００４２】
タッチ状態管理部３４は、タッチパネル部３５からのタッチ開始イベント、タッチ完了イベント、およびタッチの位置座標の情報を取得すると、以下のイベントを文字状態管理部３２に通知する（ステップＳ２１）。
【００４３】
取得したイベントがタッチ開始イベントの場合には、タッチ状態管理部３４は、タッチ開始イベントとタッチ位置座標の情報を下に、どのキーが押されたかを判断して（ステップＳ２２）、特定のキーが押されたイベントを示すキー接触開始イベントとして文字状態管理部３２に通知する（ステップＳ２３）。そして、タッチ状態管理部３４は、タッチ検知フラグをＯＮにする（ステップＳ２４）。
【００４４】
取得したイベントがタッチ完了イベントの場合には、タッチ状態管理部３４は、タッチ完了イベントを基に、特定のキーの接触が終了したことを示すキー接触完了イベントを文字状態管理部３２に通知する（ステップＳ３０）。そして、タッチ状態管理部３４は、タッチ検知フラグをＯＦＦにする（ステップＳ３１）。
【００４５】
タッチ状態管理部３４は、イベントを取得しなかった場合（つまり、タッチパネル部３５がタッチパネルの検知状態の変化を検知しなかった場合）には、タッチ検知フラグがＯＮであるかＯＦＦであるかを判定する（ステップＳ２５）。そして、タッチ検知フラグがＯＮである場合には、タッチ完了イベントを取得してタッチ検知フラグがＯＦＦとなるまで、ステップＳ２７〜ステップＳ２８の処理を繰り返す（ステップＳ２６）。ステップＳ２７では、タッチ状態管理部３４は、タッチパネル部３５の位置座標の情報を取得する。ステップＳ２８では、タッチ状態管理部３４は、位置座標の情報の変化により、ジェスチャーイベントとして文字状態管理部３２に通知する。なお、ステップＳ２５〜ステップＳ２８の処理中には、イベント待ちをしている。
【００４６】
ここで、ジェスチャーイベントの例を示す。
図４は、ジェスチャーイベントの例を示す図である。この例では、タッチした状態で右方向に１０単位ずらした例を挙げている。上下左右の４方向のイベントをここでは規定している。
【００４７】
すなわち、タッチパネル部３５は、左右方向（Ｘ軸）に約１００単位および上下方向（Ｙ軸）に約９０単位に分割されており、タッチ座標の変異量が検出される。そして、タッチ状態管理部３４は、Ｙ軸方向の変異量ΔＹが＋１０を超えた時点（ΔＹ＞＋１０）で上イベントを上げ、Ｙ軸方向の変異量ΔＹが−１０を超えた時点（ΔＹ＜−１０）で下イベントを上げ、Ｘ軸方向の変異量ΔＸが−１０を超えた時点（ΔＸ＜−１０）で左イベントを上げ、Ｘ軸方向の変異量ΔＸが＋１０を超えた時点（ΔＸ＞＋１０）で右イベントを上げる。
【００４８】
次に、文字状態管理部３２の動作の一例をフローチャートで示す。図５は、文字状態管理部３２の動作の一例を示すフローチャートである。
【００４９】
文字状態管理部３２は、キー接触開始イベント、キー接触完了イベントおよびジェスチャーイベントの受信を契機として動作する（ステップＳ４１）。
【００５０】
キー接触開始イベントを受信すると、文字状態管理部３２は、接触されたキーが直前に押されたことがあるかどうかを判定する（ステップＳ４２）。同一接触回数の情報は、キー毎に存在し直前に続けて何回押されたかを表すものであり、文字状態テーブル３１で管理されている。
【００５１】
接触されたキーが直前に押されていない場合（ステップＳ４２のＮＯ）には、文字状態管理部３２は、該当するキーの接触回数を１とし、それ以外のキーの同一接触回数を０に戻して（ステップＳ４３）、現在表示している文字の左隣にカーソルを移すように表示部３３に通知し（ステップＳ４４）、初タッチフラグに1を立てる（ＯＮにする）（ステップＳ４５）。初タッチフラグは、その該当するキーに最初に触ったときのみ立つフラグである。
【００５２】
接触されたキーが直前に押されている場合（ステップＳ４２のＹＥＳ）は、文字状態管理部３２は、初タッチフラグに０を入れる（ＯＦＦにする）（ステップＳ４７）。
【００５３】
そして、ステップＳ４６またはステップＳ４７の処理後、文字状態管理部３２は、文字種別モードと同一接触回数を元に出力文字を表示部３３に通知する（ステップＳ４６）。
【００５４】
ジェスチャーイベントを受信すると、文字状態管理部３２は、現在の文字種別とジェスチャーイベントを文字種別遷移表に基づいて文字種別モードを遷移させる（ステップＳ４８）。そして、文字状態管理部３２は、接触されているキーと文字種別モードと同一キー接触回数から出力文字表に従った文字を表示部３３に通知する（ステップＳ４９）。
【００５５】
キー接触完了イベントを受信すると、文字状態管理部３２は、直前にジェスチャーイベントを処理している場合（ステップＳ５０のＹＥＳ）、または、初タッチフラグが１である場合（ステップＳ５１のＹＥＳ）には、同一接触回数をそのままにして、接触されているキーと文字種別モードと同一キー接触回数から出力文字表に従った文字を表示部３３に通知する（ステップＳ４９）。
【００５６】
直前にジェスチャーイベントを処理していない場合（ステップＳ５０のＮＯ）、かつ、初タッチフラグが０である場合（ステップＳ５１のＮＯ）には、該当するキーの同一接触回数を１プラスして（ステップＳ５２）、接触されているキーと文字種別モードと同一キー接触回数から出力文字表に従った文字を表示部３３に通知する（ステップＳ４９）。
【００５７】
これによって、ジェスチャー時は「か」⇒「き」のような文字遷移が行われることなく、文字種別の遷移のみが行われる。
【００５８】
ジェスチャーイベント時の遷移の例を図６に示し、その例に対応した文字種別遷移表を表１に示す。これはあくまでも例であるが、このように小文字は下イベント、大文字は上イベントに対応していると分かりやすい。
【００５９】
【表１】
2009169451.tif 000003
【００６０】
図６および表１を参照すると、例えば、タッチしている保持状態が「１．ひらがな・濁点なし」の場合、上イベントにより「１０．全角数字」に遷移し、下イベントにより「２．ひらがな・小文字」に遷移し、左イベントにより「３．ひらがな・濁点」に遷移し、右イベントにより「５．半角英字・小文字」に遷移する。
【００６１】
一例として、「６」のキー（図８参照）を押したときの「は」に関する遷移の例を図７に示し、「６」のキーを押したときの出力文字表を表２に示す。
【００６２】
【表２】
2009169451.tif 000004
【００６３】
図７および表２を参照すると、文字入力モードで数字キー「６」を押すと「は」が出力され、接触回数が２，３，４，５の場合に「１．ひらがな・濁点なし＿ひ、ふ、へ、ほ」が出力される。また、上イベントにより「１０．全角数字＿６」に遷移し、左イベントにより「３．ひらがな・濁点＿ば」に遷移し、右イベントにより「５．半角英字・小文字＿ｍ」に遷移する。
【００６４】
次に、表示部３３による表示の一例を示す。
表示部３３は、文字状態管理部３２で通知される文字を表示させる。ジェスチャーで文字種別が変わった場合でも、文字種別が変更される前の表示位置に上書きされて表示される。
【００６５】
図８は、「は」から「ば」の遷移の例を示す図である。
「は」から「ば」の遷移は「１．ひらがな・濁点なし」から「３．ひらがな・濁点」への遷移なので、左イベント１回で遷移する。よって左側に一定距離ずらしながらタッチすることで「は」が「ば」に遷移する。
【００６６】
図９は、「ひ」から「Ｎ」の遷移例を示す図である。
「ひ」から「Ｎ」への遷移は「１．ひらがな・濁点なし」から「８．全角英字・大文字」への遷移なので、右イベント１回、上イベント１回で遷移する。よって右側に一定距離ずらし、上に一定距離ずらしてタッチすることで、「ひ」が「Ｎ」に遷移する。
【００６７】
また文字種別の変更の仕方として、以下のように複数の方法がある。図１０は、文字種別を変更するための４つの例を示す。
【００６８】
（１）最初に左ずらしタップで「ば」を入れて、その後で文字を特定する。すなわち、「は」→（左ずらしタップ）「ば」→（普通のタップ）「び」→（普通のタップ）「ぶ」とする。
【００６９】
（２）最初に「は」を入れて、その後で濁点をつけて、その後で文字を特定する。すなわち、（普通のタップ）「は」→（左ずらしタップ）「ば」→（普通のタップ）「び」→（普通のタップ）「ぶ」とする。
【００７０】
（３）「ひ」の時点で濁点をつけて、「ぶ」にする。すなわち、（普通のタップ）「は」→（普通のタップ）「ひ」→（左ずらしタップ）「び」→（普通のタップ）「ぶ」とする。
【００７１】
（４）最初に文字「ふ」を特定して、その後で濁点を使う。すなわち、（普通のタップ）「は」→（普通のタップ）「ひ」→（普通のタップ）「ふ」→（左ずらしタップ）「ぶ」とする。
【００７２】
（１）のやり方が文字入力の仕方として自然であるが、文字入力時に文字種別を指定するのを忘れてキーをタップしてしまう場合もあり（２）〜（４）以降の入力方法もサポートしている。
【００７３】
本発明の実施形態にかかる携帯電話端末３０が行う上記の処理による効果を、具体的な例を挙げて記述する。
【００７４】
図１１は、「１２ばんち」という単語を入力する場合のタップ数と指の移動回数を比較する。ここで指の移動回数は、あるキーから異なるキーに移る回数を指す。
【００７５】
携帯電話端末３０では、基本的には「ひらがな」モードで入力するので、「１」キーを上ずらしながらタップ１回で「１」が出力する。続いて、「２」キーを上ずらしながらタップ１回で「２」が出力する。続いて、「６」キーを左ずらしながらタップ１回で「ば」が出力する。続いて、「０」キーをタップ入力３回で「ん」が出力する。続いて、「４」キーをタップ入力２回で「ち」が出力する。この場合は、タップ数８回、指の移動回数４回である。
【００７６】
一方、一般的な携帯電話では、まず、「モード切替」のタップ１回で数字モードに変更する。続いて、「１」キーをタップ１回で「１」が出力する。続いて、「２」キーをタップ１回で「２」が出力する。続いて、「モード切替」のタップ１回でひらがなモードに変更する。続いて、「６」キーをタップ１回で「は」が出力する。続いて、「＊」キーをタップ１回で濁点をつけて「ば」に変更する。続いて、「０」キーをタップ入力３回で「ん」が出力する。続いて、「４」キーをタップ入力２回で「ち」が出力する。この場合は、タップ数１１回、指の移動回数７回である。本発明の効果として、タップ数が３回減少し、指の移動回数が３回減少している。
【００７７】
このように、携帯電話端末３０では、濁点、半濁点、小文字の文字入力時に別のボタンに割り当てたボタンを使う必要がなくなり、常にそのボタンを扱うことで入力が可能となる。すなわち、文字種別変更の際にキー入力時に指を大きく動かす必要がないので、より速いスピードで文字入力を行うことが可能である。
【００７８】
また、携帯電話端末３０では、文字種別モードを押す前に、キーを押してから種別を選ぶということが簡単に行うことができる。例えば、一般的な携帯電話では「ｃ」という文字を出したいときに数字２のキーを３回押したが、携帯電話端末３０では、モードがひらがな出力を行うモードで「く」をだしてしまった後でも、同じキーをもう一回左にずらしてタッチすることで、「ｃ」を出すことができる。
【００７９】
さらに、携帯電話端末３０では、文字の入力方法の基本は、一般的な携帯電話の文字入力方式を踏襲しており、今まで慣れた文字入力方式をそのまま使える。また、文字種別がいつでも変更できるので、文字種別を意識して入力する必要がなく、入れた表示の文字を見て、指をずらすことで適切な文字種別を入力することができる。
なお、本実施例では、タッチパネルでそのキーの上をずらすことで、文字種別を変更する例を挙げたが、ハードウェアキーの下に２次元タッチセンサーを実装させて、キー接触時に指のずらしを検知させることで、文字種別の変更を行なってもよい。
【産業上の利用可能性】
【００８０】
本発明は、文字種別をいかなるときも指の移動距離を少なくかつ簡単に切り替えることができる携帯端末および文字入力方法等として有用である。
【図面の簡単な説明】
【００８１】
【図１】本発明の実施形態にかかる携帯電話端末の構成の一例を示す図
【図２】本発明の実施形態にかかるタッチパネル部の動作の一例を示すフローチャート
【図３】本発明の実施形態にかかるタッチ状態管理部の動作の一例を示すフローチャート
【図４】本発明の実施形態にかかるジェスチャーイベントの一例を示す図
【図５】本発明の実施形態にかかる文字状態管理部の動作の一例を示すフローチャート
【図６】本発明の実施形態にかかるジェスチャーの遷移の一例を示す図
【図７】本発明の実施形態にかかる「は」に関する遷移の一例を示す図
【図８】本発明の実施形態にかかる「は」から「ば」の遷移の一例を示す図
【図９】本発明の実施形態にかかる「ひ」から「Ｎ」の遷移の一例を示す図
【図１０】本発明の実施形態における文字種別を変更するための４つの例を示す図
【図１１】本発明の実施形態における携帯電話端末が「１２ばんち」という単語を入力する場合のタップ数と指の移動回数を一般的な携帯電話の場合と比較するための図
【符号の説明】
【００８２】
３０  携帯電話端末
３１  文字状態テーブル
３２  文字状態管理部
３３  表示部
３４  タッチ状態管理部
３５  タッチパネル部
【図１】
2009169451.tif 000005
【図２】
2009169451.tif 000006
【図３】
2009169451.tif 000007
【図５】
2009169451.tif 000008
【図１０】
2009169451.tif 000009
【図１１】
2009169451.tif 000010
【図４】
2009169451.tif 000011
【図６】
2009169451.tif 000012
【図７】
2009169451.tif 000013
【図８】
2009169451.tif 000014
【図９】
2009169451.tif 000015